(57)【要約】【課題】現像処理アルゴリズムに対するユーザの多様な要望に答えることができると共に、最新の現像処理アルゴリズムにも対応可能な画像処理装置を提供すること。【解決手段】撮像装置から取得したＲＡＷデータに対する色処理アルゴリズムと補間処理アルゴリズムの少なくとも一方を複数記憶する記憶手段と、前記色処理アルゴリズムと前記補間アルゴリズムとを組み合わせて前記ＲＡＷデータの現像処理を行う画像処理手段と、前記画像処理手段で処理された画像を表示する表示手段と、を有することを特徴とする画像処理装置。【選択図】図１
2010136280.tif 000002
【特許請求の範囲】
【請求項１】
撮像装置から取得したＲＡＷデータに対する色処理アルゴリズムと補間処理アルゴリズムの少なくとも一方を複数記憶する記憶手段と、
前記色処理アルゴリズムと前記補間アルゴリズムとを組み合わせて前記ＲＡＷデータの現像処理を行う画像処理手段と、
前記画像処理手段で処理された画像を表示する表示手段と、
を有することを特徴とする画像処理装置。
【請求項２】
前記色処理アルゴリズムと前記補間アルゴリズムの少なくとも一方は、前記記憶手段に追加または前記記憶手段から削除可能であることを特徴とする請求項１に記載の画像処理装置。
【請求項３】
前記表示手段は、前記画像処理手段で前記色処理アルゴリズムと前記補間アルゴリズムとを組み合わせて処理された少なくとも一つの現像処理画像を表示できることを特徴とする請求項１または２に記載の画像処理装置。
【請求項４】
前記表示手段は、前記現像処理画像の中から選択された画像を拡大表示することを特徴とする請求項３に記載の画像処理装置。
【請求項５】
前記選択された画像の現像処理アルゴリズムと前記ＲＡＷデータとを共に前記記憶手段に記憶させる指示手段を有することを特徴とする請求項４に記載の画像処理装置。
【請求項６】
カメラコントロールユニットをさらに有し、
前記カメラコントロールユニットは、前記撮像素子からのライブ画像現像処理アルゴリズムを有し、
前記ライブ画像処理アルゴリズムは、前記色処理アルゴリズムと前記補間処理アルゴリズムの組み合わせの一つであることを特徴とする請求項１から５のいずれか１項に記載の画像処理装置。
【請求項７】
撮像装置からＲＡＷデータを取得するステップと、
色処理アルゴリズムと補間処理アルゴリズムとを組み合わせた少なくとも一つの現像処理アルゴリズムで前記ＲＡＷデータを現像処理するステップと、
前記現像処理された少なくとも一つの画像を表示するステップと、
前記表示された少なくとも一つの画像から所定の画像を選択するステップと、
前記選択された画像の前記現像処理アルゴリズムと前記ＲＡＷデータとを共に記憶するステップと、
を有することを特徴とする画像処理方法。
【請求項８】
前記色処理アルゴリズムと前記補間処理アルゴリズムの少なくとも一方は、追加または削除可能であることを特徴とする請求項７に記載の画像処理方法。
【請求項９】
請求項７または８に記載の画像処理方法を実行することを特徴とする画像処理ソフトウェア。
【請求項１０】
請求項９に記載の画像処理ソフトウェアを記憶したことを特徴とする記録媒体。
【発明の詳細な説明】
【技術分野】
【０００１】
本発明は、顕微鏡用デジタルカメラから取得したＲＡＷデータの現像処理を行う画像処理装置、画像処理方法、ソフトウェアと、ソフトウェアを記録する記録媒体に関する。
【背景技術】
【０００２】
従来、顕微鏡標本のライブ（Ｌｉｖｅ）画像を顕微鏡用のデジタルカメラで撮影する場合、画像処理装置を通じてＬｉｖｅ上のストリーム画像を見ながら所望の標本画像の静止画像を取得したり、あるいは専用の画像生成ルーチンを通じてより高精細な静止画像を取得することが行われている。このような手法は、例えば、デジタルカメラで被写体像を表示部で見ながらスチル写真を撮影する場合等にも用いられている（例えば、特許文献１参照）。
【特許文献１】特開２００３−２４４５０７号公報
【発明の開示】
【発明が解決しようとする課題】
【０００３】
従来の現像処理は、撮像装置からの画像データ（ＲＡＷデータ）を専用の現像処理アルゴリズムを搭載したコントロールユニットを介して行われる。この現像処理アルゴリズムは、そのときの技術レベルにより開発された現像処理アルゴリズムが搭載される。そして現像処理アルゴリズムは、技術の進歩に伴い性能が向上しているが、現像処理アルゴリズムを搭載するファームウェアには物理的な限界があり（例えば、記憶容量、処理速度など）、最新の現像処理アルゴリズムに変更することが困難となることがある。また、従来の画像処理装置は、一つの現像処理アルゴリズムしか搭載していないため、多様な現像処理アルゴリズムを使用したいと言うユーザの要望に答えることが困難であった。
【０００４】
本発明は、上記課題に鑑みて行われたものであり、現像処理アルゴリズムに対するユーザの多様な要望に答えることができると共に、最新の現像処理アルゴリズムにも対応可能な画像処理装置、画像処理方法、および画像処理ソフトウェアと、このソフトウェアを記録する記録媒体を提供することを目的とする。
【課題を解決するための手段】
【０００５】
上記課題を解決するため、本発明は、撮像装置から取得したＲＡＷデータに対する色処理アルゴリズムと補間処理アルゴリズムの少なくとも一方を複数記憶する記憶手段と、前記色処理アルゴリズムと前記補間アルゴリズムとを組み合わせて前記ＲＡＷデータの現像処理を行う画像処理手段と、前記画像処理手段で処理された画像を表示する表示手段と、
を有することを特徴とする画像処理装置を提供する。
【０００６】
また、本発明は、撮像装置からＲＡＷデータを取得するステップと、色処理アルゴリズムと補間処理アルゴリズムとを組み合わせた少なくとも一つの現像処理アルゴリズムで前記ＲＡＷデータを現像処理するステップと、前記現像処理された少なくとも一つの画像を表示するステップと、前記表示された少なくとも一つの画像から所定の画像を選択するステップと、前記選択された画像の前記現像処理アルゴリズムと前記ＲＡＷデータとを共に記憶するステップと、を有することを特徴とする画像処理方法を提供する。
【０００７】
また、本発明は、画像処理方法を実行することを特徴とする画像処理ソフトウェアを提供する。
【０００８】
また、本発明は、画像処理ソフトウェアを記憶したことを特徴とする記録媒体を提供する。
【発明の効果】
【０００９】
本発明によれば、現像処理アルゴリズムに対するユーザの多様な要望に答えることができると共に、最新の現像処理アルゴリズムにも対応可能な画像処理装置、画像処理方法、および画像処理ソフトウェアと、このソフトウェアを記録する記録媒体を提供することができる。
【発明を実施するための最良の形態】
【００１０】
以下、本発明の一実施の形態にかかる画像処理装置、画像処理方法について図面を参照しつつ説明する。なお、以下の実施の形態は、発明の理解の容易化のためのものに過ぎず、本発明の技術的思想を逸脱しない範囲において当業者により実施可能な付加・置換等を施すことを排除することは意図していない。
【００１１】
図１は、実施の形態にかかる画像処理装置の構成外略図である。図２は、現像処理アルゴリズム群と選択された現像処理アルゴリズム、および新たに追加される新規アルゴリズムの概要を示す。
【００１２】
図１において、顕微鏡装置１０に搭載された撮像装置１２からの信号は、カメラコントロールユニット（ＣＣＵ）１４を通じて画像処理装置１６に入力される。カメラコントロールユニット１４と画像処理装置１６の間にはＬｉｖｅ画像の伝送線とＲＡＷ画像の伝送線を別々に設けている。画像処理装置１６は、パーソナルコンピュータ（ＰＣ）等で構成され、画像処理に必要なアプリケーションソフトウェアが搭載されている。画像処理装置１６には、処理された画像や実行中のアプリケーションソフトウェアの実行状態を表示する表示装置（以後、モニタと記す）１８、および入出力装置であるキーボード２０、マウス２２等が接続されている。また、画像処理装置１６には、撮像装置１２からの画像データ（ＲＡＷデータ）や、後述する現像処理アルゴリズム（以後、単に現像処理と略記す）を記憶する記憶装置２４、ＲＡＷデータに対して現像処理を実行する現像処理部２６、および各種制御を行うＣＰＵ２８等が搭載されている。なお、画像処理装置１６は、ＰＣに限らず専用の装置であっても良い。
【００１３】
また、図２に示すように、記憶装置２４には、複数の色処理アルゴリズム（以後、単に色処理と略記す）Ａ，Ｂ、Ｃ、および複数の補間処理アルゴリズム（以後、単に補間処理と略記す）Ａ，Ｂ，Ｃが記憶されている。後述する現像処理アプリケーション(以後、ＡＰと略記する)で選択された、例えば補間処理Ｃと色処理Ａとが現像処理部２６に転送され、ＣＣＵ１４を介して入力された撮像装置１２からのＲＡＷデータに対して現像処理を行い、処理結果がモニタ１８上に表示されると共に記憶装置２４に記憶される。
【００１４】
また、画像処理装置１６は、新規に開発された現像処理である、補間処理Ｄや色処理Ｄを不図示の入力装置（例えば、ＦＤやＣＤ−ＲＯＭ、ＤＶＤ−ＲＯＭ）を介して記憶装置２４に記憶することができる。そして、記憶した新たな補間処理Ｄや色処理Ｄは、これまで記憶されていた補間処理Ａ〜Ｃ、色処理Ａ〜Ｃと組み合わせて現像処理として使用することができる。なお、図２では、現像処理部２６中の現像処理は、補間処理Ｃと色処理Ａの組み合わせのみが表示されているが、後述するように現像処理部２６には、記憶装置２４に記憶された補間処理Ａ〜Ｄ、色処理Ａ〜Ｄを組み合わせた複数の現像処理が含まれ、ＲＡＷデータをそれぞれ現像処理することができ、またモニタ１８に表示することができる。また、現像処理部２６には、カメラコントロールユニット１４からのＬｉｖｅ画像を出力する図示していない周知の処理部を有しており、後述する選択モードに応じてＲＡＷデータの現像処理を行う処理部として機能する。
【００１５】
次に、ＡＰソフトを用いたＲＡＷデータの現像処理について説明する。
【００１６】
図３は、画像処理フローを示す図である。図４は、ＡＰソフトの起動画面の一例を示す。図５は、ＲＡＷ現像モード時の表示画面例を示す。図６は、種々の現像処理の例をそれぞれ示す。図８は、現像処理終了に記憶する画像のデータ形式の一例を示す。図９は、通常現像モード時の表示画面の一例を示す。
【００１７】
以下、図３に示すフロー時したがって説明する。はじめに、図１に示す各装置の電源を投入し、顕微鏡装置１０で不図示の標本の像を観測できる状態に設定する。
【００１８】
電源ＯＮと同時に、画像処理装置１６の現像ＡＰが起動し、図４に示すＡＰ起動画面３０がモニタ１８に表示される（ステップＳ１）。ＡＰのデフォルト状態は、この後、キャプチャされるＲＡＷ画像になされる現像モードの一つであるＬｉｖｅ画質モード３１が選択されている。モニタ１８には撮像装置１２から得られ、カメラコントロールユニット１４で現像処理が行われた標本像３０ａのＬｉｖｅ画像信号をそのまま表示している。
【００１９】
ＡＰ起動画面３０において、ユーザは、ＲＡＷボタン３６のＯＮ／ＯＦＦを選択する（ステップＳ２）。ＯＮ／ＯＦＦは、表示画面のチェックボックス３６をユーザがチェックすればＯＮ、未チェックであればＯＦＦとなる。
【００２０】
表示画像３０ａが所望の標本像（場所、倍率等が所望の画像）となったのち、ユーザはキャプチャ（Ｃａｐｔｕｒｅ）ボタン３７をクリックしてＯＮ状態にする（ステップＳ３）。キャプチャボタン３７をＯＮするまではステップＳ２とステップＳ３を繰り返す。
【００２１】
キャプチャボタン３７がＯＮされると、画像処理装置１６のＣＰＵ２８は、ＣＣＵ１４にコントロール信号を送り、撮像装置１２からのＲＡＷデータを画像処理装置１６に伝送するよう指示する（ステップＳ４）。ＣＣＵ１６は、撮像装置１２からのＲＡＷデータを画像処理装置１６の画像処理部２６に送信する。送信されたＲＡＷデータは、画像処理部２６に送信され、図４のＬｉｖｅ画像モード３１からユーザ登録モード３６のうち選択された現像モードに従って画像処理が行われ、モニタ１８に表示（３０ａ）されると共にキャプチャ画像として記憶装置２４にＲＡＷが記憶される（ステップＳ５）。なお、ユーザはＲＡＷデータを保存しないように設定することもできる。
【００２２】
ＡＰは、ＲＡＷボタン３５がＯＮ状態かＯＦＦ状態かを判定し、ＯＮ状態であればステップＳ７に、ＯＦＦ状態であればステップＳ８にジャンプする（ステップＳ６）。
【００２３】
以下、ＲＡＷボタン３５がＯＮ状態の場合の現像処理について説明する（ステップＳ７）。
【００２４】
ステップＳ７において、ＲＡＷボタン３５がＯＮ状態のとき、図４に示す起動画面３０は、ＡＰ画面４０に変更され、キャプチャボタン３７がリセットされる。なお、キャプチャボタン３７はトグルスイッチ動作をし、キャプチャボタン３７をクリックするごとにＲＡＷデータを保存するＯＮ状態とＲＡＷを保存しないＯＦＦ状態に切り替わるように構成（プログラミング）されている。
【００２５】
図５に示すＡＰ画面４０において、画像表示画面部４１には、図６に示す各現像モード３１〜３４によって現像処理されたサムネイル画像４１ａ〜４１ｄと各現像モード３１〜３４のうち選択された現像モードの拡大画像４１ｅがそれぞれ表示されている。例えば、サムネイル４１ａはＬｉｖｅ画質モード３１で現像処理が行われたＲＡＷ画像、サムネイル４１ｂは解像度優先モード３２で現像処理が行われたＲＡＷ画像、サムネイル４１ｃは解像度、画質優先画質モード３３で現像処理が行われたＲＡＷ画像、サムネイル４１ｄは画質優先モード３４で現像処理が行われたＲＡＷ画像がそれぞれ表示され、拡大画像４１ｅは各モード３１〜３４のうち選択された、例えばＬｉｖｅ画質モード３１のＲＡＷ画像４１ａが拡大画像が表示される。拡大画像４１ｅは、現像モード３１〜３４のいずれかを選択することで、画面が切り替えられる。なお、各サムネイル画像４１ａ〜４１ｄ、拡大画像４１ｅは表示速度を早くするため間引き処理を行って作成した画像が表示される。
【００２６】
各現像モード３１〜３４に対応する各現像処理は、例えば図６に示すような補間処理と色処理の組み合わせで現像処理を行う。なお、図６に示す各現像処理の組み合わせ設定は一例であり、ユーザが適宜補間処理と色処理の組み合わせを選択することができるし、あるいは前もって設定しておくこともできる。
【００２７】
以下、各現像処理の組み合わせについて簡単に説明する。
【００２８】
図６において、図６（ａ）は、例えばデフォルトとして設定されているＬｉｖｅ画質モード３１の現像処理であり、撮像装置１２からのＲＡＷ画像をカメラコントロールユニットで現像されるＬｉｖｅ画像と極力同様な質感となるように現像処理するモードである。このモードは、一般にＣＣＵ１４に搭載されているＬｉｖｅ画像の現像処理と同等の画質で再現できるようにしたものである。ここでは、例えば、補間処理Ａと色処理Ａを組み合わせた現像処理を行い、サムネイル４１ａに表示し、かつＬｉｖｅ画質３１が選択されているので拡大画像４１ｅにその拡大画像を表示する。なお、デフォルトの現像処理は、Ｌｉｖｅ画質モード３１以外の各現像モード３２〜３４から設定可能である。
【００２９】
図６（ｂ）は、解像度優先モードの現像処理３２を示す。解像度優先モードの現像処理３２は、Ｌｉｖｅ画像とほぼ同等の色再現性を持っているが、より高解像度の画像を提供するものである。したがって、解像度優先モードの現像処理３２は、補間処理が現時点で最も優れている「補間処理Ｃ」と（ａ）と同じ「色処理Ａ」とを組み合わせた現像処理であり、これで現像処理された画像がサムネイル画像４１ｂに表示される。
【００３０】
図６（ｃ）は、解像度、画質優先モードの現像処理３３を示す。解像度、画質優先モードの現像処理３３は、Ｌｉｖｅ画像よりも高解像度であり、顕微鏡装置１０の不図示の接眼レンズを通して眼視した画像により近い画像（例えば、色見など）を提供するモードである。よって、現時点で、解像度、画質が最も優れている現像処理の、「補間処理Ｃ」と「色処理Ｃ」を組み合わせた現像処理が採用され、これで現像処理された画像がサムネイル画像４１ｃに表示される。
【００３１】
図６（ｄ）は、画質優先モードの現像処理３４を示す。画質優先モードの現像処理３４は、Ｌｉｖｅ画像の色味では顕微鏡装置１０の不図示の接眼レンズを通した眼視像（例えば、色見など）と異なっている場合、より見た目に近い画像を得るための現像処理である。よって、（ａ）に示すＬｉｖｅ画像モードの現像処理の「補間処理Ａ」と（ｂ）で示す補間処理が現時点で最も優れている「補間処理Ｃ」とを組み合わせた現像処理であり、これで現像処理された画像がサムネイル画像４１ｄに表示される。なお、この画質優先モードの現像処理３４は、他のモードに比べキャプチャ時間を抑えることができると言うメリットを有している。
【００３２】
またＡＰ画面４０には、図５の破線４２で示す画像処理調整ウィンドウ、および破線４４で示す処理経路選択部が含まれている。画像処理調整ウィンドウ４２は、Ｌｉｖｅ画質モード３１からその他モード３８までの全てのモードで有効な付加処理機構である。この処理の中には、ノイズフィルタ選択部４２ａ、ＲＧＢ色強度可変部４２ｂ、Ｇａｉｎ、色相、彩度、黒レベル、ガンマ、エッジ強調などを可変する画質可変部４２ｃ等が含まれている。なお、画像処理調整ウィンドウ４２は、既知の処理を用いることができるので、詳細な説明は省略する。
【００３３】
また、処理経路選択部４４には、画像処理装置１６が内蔵している複数の補間処理から所定の補間処理を選択する補間処理選択ボタン４４ａ、複数の色処理から所定の色処理を選択する色処理選択ボタン４４ｂ、および上記各選択ボタンでユーザが選択した補間処理と色処理とを登録する処理経路登録ボタン４４ｃが含まれている。なお、この処理経路選択モード４４は、後述するその他モード３８が選択されたときに有効となる。
【００３４】
ステップＳ９において、ＡＰ画面４０の現像処理モード３１〜３４および画像処理調整ウィンドウ４２の各種選択部４２ａ〜４２ｃ等の選択された条件の画像が所望の画像になったとき、ユーザは、キャプチャボタン３７ａをクリックしてＯＮ状態にする（ステップＳ１０）。これにより、選択された現像モードでＲＡＷデータの現像が開始される（ステップＳ１１）。そして、間引きしていないＲＡＷデータを用いて現像処理で現像された画像は、モニタ１８に表示されると共に、記憶装置２４に図７に示すデータ構造で、ＲＡＷデータと現像処理情報とを一緒に保存する（ステップＳ１２）。これで、画像取得が終了する場合は、ステップＳ１にジャンプし、継続する場合にはステップＳ７にジャンプする（ステップＳ１３）。
【００３５】
図７に示す保存データ形式は、ヘッダ部ＩＤ、ＲＡＷ画像データ部ＤＡＴＡ、および現像処理部２６の補間処理、色処理や画像処理調整ウィンドウ４２で選択した各種情報を含むＣＡＭ設定情報からなり、一般的に用いられているデータ形式と同等に構成されている。
【００３６】
ステップＳ９において、現像モード３１〜３４および画像処理調整ウィンドウ４２により所望の画像が得られなかった時は、ＡＰ画面４０において、その他モード３８を選択する。
【００３７】
図８は、その他モード３８を選択した時のＡＰ画面４０である。ＡＰ画面４０と同様の構成には同じ符号を付し説明を省略する。
【００３８】
その他モード３８が選択された場合、図８に示すように画像表示画面部４１には、各現像モードのサムネイル画面に変わって、補間処理選択部４４ａで選択され、色処理Ａ〜色処理Ｄに対応する現像処理によるサムネイル画面５１ａ〜５１ｄと処理経路選択部４４の色処理選択ボタン４４ｂで選択されている現像処理で処理された画像の拡大画像５１ｅが表示される。
【００３９】
図８に示すように、例えば、サムネイル画像５１ａは、「補間処理Ｃ」と「色処理Ａ」の組み合わせの現像処理画像を、サムネイル画像５１ｂは、「補間処理Ｃ」と「色処理Ｂ」の組み合わせの現像処理画像を、サムネイル画像５１ｃは、「補間処理Ｃ」と「色処理Ｃ」の組み合わせの現像処理画像を、サムネイル画像５１ｄは、「補間処理Ｃ」と「色処理Ｄ」の組み合わせの現像処理画像をそれぞれ表示し、拡大画像５１ｅには、処理経路選択部４４ｂで選択されている「色処理Ａ」の画像５１ａの拡大画像が表示される。なお、上記説明では補間処理選択部４４ａが「補間処理Ｃ」を選択しているので、サムネイル画像５１ａ〜５１ｄは、「補間処理Ｃ」を基準に実行されるが、「補間処理Ｃ」を別の「補間処理Ａ、Ｂ、Ｄ」のどれかを適宜選択することができる。
【００４０】
ユーザは、画像処理調整ウィンドウ４２と処理経路選択部４４を操作して所望の画像が得られたら、図３のステップＳ１０を実行してステップＳ１１からＳ１２により現像した画像を図７に示すデータ形式で記憶装置２４に記憶する。
【００４１】
以上で、ＲＡＷボタン３６が選択されている場合の現像処理を終了する。
【００４２】
次に、図４におけるＡＰ起動画面３０でＲＡＷボタン３６が選択されていない場合について説明する。
【００４３】
本モードの場合、図３、図４において、ＲＡＷボタン３６の選択の前に、現像モード３１〜３５のいずれかを選択しておく。起動時にはＬｉｖｅ画質モード３１がデフォルトで選択される。現像モード３１〜３５のいずれかを選択したのちＲＡＷボタン３６の選択（ＯＮ）、非選択（ＯＦＦで）をする（ステップＳ１、Ｓ２）。
【００４４】
その後、キャプチャボタン３７をクリックする（ステップＳ３）。これによりステップＳ４〜ステップＳ６が実行され、ステップＳ８にジャンプする。
【００４５】
ステップＳ８において、通常現像処理画面６０が表示される。図９は、通常現像処理画面の一例を示す。
【００４６】
図９に示す通常現像処理画面６０は、図４に示すＡＰ起動画面３０と図５の画像処理調整ウィンドウ４２と処理経路選択部４４とを組み合わせた画面となっている。同じ部分には同じ符号を付し説明を省略する。
【００４７】
画面６０において、画像表示画面部６１には、現像モード３１〜３５で選択された画像が表示されている。図９では、Ｌｉｖｅ画質モード３１が選択され、図６（ａ）で示した現像処理が行われた画像が表示されている。この画像６１も、表示速度を上げるため間引き処理された画像が表示されている。
【００４８】
ステップＳ１４では、選択された現像モードおよび画像処理調整ウィンドウ４２で画像に各種の処理を付加して所望の画像にする。所望の画像が得られた段階でキャプチャボタン３７ａをクリック（ＯＮ）して（ステップＳ１５）、上記ステップで選択された条件で現像し（ステップＳ１６、得られた画像をモニタ１８に表示すると共に、所定の形式の現像済みの画像データで記憶装置２４に記憶する(ステップＳ１７)。その後ステップＳ１３を実行する。これにより、一連の現像処理が終了して、ユーザの望む画像を表示、保存することができる。
【００４９】
図９において、ユーザ登録モード３５が選択された場合、現像処理は、現像経路選択部４４で前もって登録された現像処理が実行され、画像６１が表示される。このモードにおいて、補間処理選択ボタン４４ａ、色処理選択ボタン４４ｂによりユーザが選択した現像処理は、処理経路登録ボタン４４ｃをクリックすることで記憶装置２４に記憶され、ユーザ登録モード３５で選択使用可能になる。また、ユーザ登録モード３５も各現像モード３１〜３４と同様に、画像処理調整ウィンドウ４２で画像に各種の処理を負荷することができる。
【００５０】
以上述べたように、実施の形態にかかる画像処理装置では、撮像装置から得られる画像データを各種の現像処理で処理し、所望の色味の画像を取得することができる。また、現像処理用のアルゴリズムを複数持っているため、最適な現像処理アルゴリズムを選択して画像データの処理を行うことができる。また、現像処理アルゴリズムを画像処理装置内に記憶しておくことができるため、現像処理アルゴリズムとして過去から最新のアルゴリズムまで保存し、適宜使用することができる。また、画像処理装置を汎用の装置で構成することで、撮像装置の交換あるいは現像処理アルゴリズムの更新等を容易に行うことができ、ユーザの多様なニーズに対応することができる。
【図面の簡単な説明】
【００５１】
【図１】実施の形態にかかる画像処理装置の構成外略図である。
【図２】現像処理アルゴリズム群と選択された現像処理アルゴリズム、および新たに追加される新規アルゴリズムの概要を示す。
【図３】画像処理フローを示す図である。
【図４】ＡＰソフトの起動画面の一例を示す。
【図５】ＲＡＷ現像モード時の表示画面例を示す。
【図６】種々の現像処理の例をそれぞれ示す。
【図７】保存データ形式の一例
【図８】現像処理終了に記憶する画像のデータ形式の一例を示す。
【図９】通常現像モード時の表示画面の一例を示す。
【符号の説明】
【００５２】
１０    顕微鏡装置
１２    撮像装置
１４    カメラコントロールユニット（ＣＣＵ）
１６    画像処理装置
１８    表示装置(モニタ)
２０    キーボード
２２    マウス
２４    記憶装置
２６    画像処理部
２８    ＣＰＵ
３０    ＡＰ起動画面
３６    ＲＡＷボタン
３７    キャプチャ（Ｃａｐｔｕｒｅ）ボタン
４０    ＡＰ画面
４１    画像表示画面部
４２    画像処理調整ウィンドウ
４４    処理経路選択部
【図１】
2010136280.tif 000003
【図２】
2010136280.tif 000004
【図３】
2010136280.tif 000005
【図４】
2010136280.tif 000006
【図５】
2010136280.tif 000007
【図６】
2010136280.tif 000008
【図７】
2010136280.tif 000009
【図８】
2010136280.tif 000010
【図９】
2010136280.tif 000011